(57)【要約】【課題】映像表示装置で補正を施した画像を別の装置に複写もしくは移動した後に表示しても、同じ見栄えで表示することができる映像表示装置を提供する。【解決手段】デジタル映像信号の画質を調整する画像処理部１０４と、画像処理部によって実施された画質調整の内容を示す画質設定情報と映像表示装置を識別するための機器情報とを生成し、画質を調整したデジタル映像信号に対応する画像ファイルに画質設定情報及び機器情報を関連づけるために、映像出力装置に送信する制御部１０６と、を備えている。【選択図】図２
2010032920.tif 000002
【特許請求の範囲】
【請求項１】
画像ファイルを保持し、当該画像ファイルから生成したデジタル映像信号を出力可能な映像出力装置に接続され、前記デジタル映像信号を受信して、当該デジタル映像信号に基づく映像を表示部に表示する映像表示装置であって、
前記デジタル映像信号の画質を調整する画像処理部と、
前記画像処理部によって実施された画質調整の内容を示す画質設定情報と前記映像表示装置を識別するための機器情報とを生成し、画質を調整した前記デジタル映像信号に対応する画像ファイルに前記画質設定情報及び前記機器情報を関連づけるために、前記映像出力装置に送信する制御部と、
を備えていることを特徴とする映像表示装置。
【請求項２】
前記制御部は、受信したデジタル映像信号または画像ファイルに関連づけられている機器情報が自身の機器情報と合致し、かつ画質設定情報が前記デジタル映像信号または前記画像ファイルに関連づけられているか否かを判定し、
機器情報が合致し、かつ画質設定情報が関連づけられている場合に、前記画像処理部は当該画質設定情報に基づく画質調整を当該画質設定情報が関連づけられているデジタル映像信号または画像ファイルに適用することを特徴とする請求項１記載の映像表示装置。
【請求項３】
前記映像表示装置の周囲の照度を検出する照度検出部を備え、
前記制御部は、前記画像処理部が前記デジタル映像信号の画質調整を行った際の照度検出値を前記照度検出部から取得し、
前記照度検出値を前記画像ファイルに関連づけるために前記映像出力装置に送信することを特徴とする請求項１記載の映像表示装置。
【請求項４】
前記制御部は、受信したデジタル映像信号または画像ファイルに関連づけられている機器情報が自身の機器情報と合致し、かつ画質設定情報が受信したデジタル映像信号または画像ファイルに関連づけられているか否かを判定し、
機器情報が合致し、かつ画質設定情報が関連づけられている場合には、受信したデジタル映像信号または画像ファイルに関連づけられている照度検出値と、前記照度検出部で現在検出される照度検出値との比較を行い、
前記比較の結果、関連づけられている照度検出値と現在検出される照度検出値との差分値が所定の範囲内である場合に、前記画像処理部は当該画質設定情報に基づく画質調整を当該画質設定情報が関連づけられているデジタル映像信号または画像ファイルに適用することを特徴とする請求項３記載の映像表示装置。
【請求項５】
前記制御部は、前記画質設定情報及び前記機器情報を前記画像ファイルに関連づけるように指示するコマンドを生成し、前記映像出力装置に発行することを特徴とする請求項１乃至４のいずれか１項に記載の映像表示装置。
【請求項６】
画像ファイルを保持し、当該画像ファイルから生成したデジタル映像信号を出力可能な映像出力装置に接続され、前記デジタル映像信号を受信して、当該デジタル映像信号に基づく映像を表示部に表示する映像表示装置の制御方法であって、
前記デジタル映像信号の画質を調整する画像処理ステップと、
前記画像処理ステップによって実施された画質調整の内容を示す画質設定情報と前記映像表示装置を識別するための機器情報とを生成し、画質を調整した前記デジタル映像信号に対応する画像ファイルに前記画質設定情報及び前記機器情報を関連づけるために、前記映像出力装置に送信する制御ステップと、
を備えていることを特徴とする映像表示装置の制御方法。
【請求項７】
前記制御ステップでは、受信したデジタル映像信号または画像ファイルに関連づけられている機器情報が自身の機器情報と合致し、かつ画質設定情報が前記デジタル映像信号または前記画像ファイルに関連づけられているか否かを判定し、
機器情報が合致し、かつ画質設定情報が関連づけられている場合に、前記画像処理ステップでは当該画質設定情報に基づく画質調整を当該画質設定情報が関連づけられているデジタル映像信号または画像ファイルに適用することを特徴とする請求項６記載の映像表示装置の制御方法。
【請求項８】
前記映像表示装置は、前記映像表示装置の周囲の照度を検出する照度検出部を備え、
前記制御ステップでは、前記画像処理ステップで前記デジタル映像信号の画質調整を行った際の照度検出値を前記照度検出部から取得し、
前記照度検出値を前記画像ファイルに関連づけるために前記映像出力装置に送信することを特徴とする請求項６記載の映像表示装置の制御方法。
【請求項９】
前記制御ステップでは、受信したデジタル映像信号または画像ファイルに関連づけられている機器情報が自身の機器情報と合致し、かつ画質設定情報が受信したデジタル映像信号または画像ファイルに関連づけられているか否かを判定し、
機器情報が合致し、かつ画質設定情報が関連づけられている場合には、受信したデジタル映像信号または画像ファイルに関連づけられている照度検出値と、前記照度検出部で現在検出される照度検出値との比較を行い、
前記比較の結果、関連づけられている照度検出値と現在検出される照度検出値との差分値が所定の範囲内である場合に、前記画像処理ステップでは当該画質設定情報に基づく画質調整を当該画質設定情報が関連づけられているデジタル映像信号または画像ファイルに適用することを特徴とする請求項８記載の映像表示装置の制御方法。
【請求項１０】
前記制御ステップでは、前記画質設定情報及び前記機器情報を前記画像ファイルに関連づけるように指示するコマンドを生成し、前記映像出力装置に発行することを特徴とする請求項６乃至９のいずれか１項に記載の映像表示装置の制御方法。
【発明の詳細な説明】
【技術分野】
【０００１】
本発明は、映像表示装置及び映像表示システムに関する。
【背景技術】
【０００２】
近年、ユーザは一般的にデジタルテレビによって写真などの画像を見ることができる。ユーザは、画像を以下の方法によってテレビに入力する。例えば、ユーザは、デジタルカメラで撮影した画像を、ＳＤカードなどの半導体メモリを介して、デジタルテレビへ入力することができる。ユーザは、また、カメラ内にある画像を、ＨＤＭＩ（High Definition Multimedia Interface）ケーブルを介して、デジタルテレビへ入力することができる。なお、ＨＤＭＩはカメラ内にある画像データをデコードし、デジタル映像信号としてデジタルテレビに伝送し、テレビは入力されたデジタル映像信号を表示することになる。つまり、画像データそのものがデジタルテレビに送信されるものではない。
【０００３】
また、デジタルテレビ等のＡＶ機器やコンピュータ機器をネットワークで接続する技術が普及している。ユーザは、画像を一箇所に保存するだけでなく、様々な機器に複写したり移動したりすることができる。例えば、ユーザは、デジタルカメラ内の画像を、一旦デジタルテレビで閲覧した後、バックアップが必要な画像だけをパソコン、サーバ、レコーダ、デジタルテレビ等に設けられたバックアップ機器に複写することができる。
【０００４】
ところで、ユーザが同一画像を同一のデジタルテレビで複数回閲覧したときに、画像の入力形態やデジタルテレビの状態によって、見栄えや映り方が異なる場合がある。例えば、デジタルカメラの画像をデジタルテレビに映した時の見栄えと、この画像を一旦レコーダに複写した後に、再度前述のデジタルテレビに映したときの見栄えとが異なることがある。この現象は、例えば、画像を表示する際のデジタルテレビ内の画質設定が、画像の入力形態や、デジタルテレビの状態によって変化することに起因する。
【０００５】
一般的に、デジタルテレビは、放送、Ｄ端子などのビデオ端子、ＨＤＭＩ端子、ＬＡＮ端子、ＰＣ端子、及びカードＩ／Ｆなど入力種別によって、異なる画質設定値を持つ。デジタルテレビは、また、画像ビューワ起動中、ブラウザ起動中などデジタルテレビ自体の状態によって、異なる画質設定値を持つこともある。
【０００６】
このため、例えば、デジタルテレビが、デジタルカメラ内の画像を、カードＩ／Ｆを介して表示するとき、カードＩ／Ｆの種別及びカード内の画像を閲覧するために起動したビューワ状態によって、画質設定値が一意に決まる。続いて、この画像を、レコーダに複写し、ＨＤＭＩ経由で同一のデジタルテレビに表示するとき、デジタルテレビはＨＤＭＩ入力端子に割り当てられている画質設定値に基づいて画像を表示する。すなわち、入力種別やデジタルテレビの状態によって画像設定が異なるため、デジタルテレビは同一の画像を異なる見栄えで表示することになる。
【０００７】
この現象は、ユーザがある画像を閲覧しながら、デジタルテレビのリモコンを用いてデジタルテレビが有する画質設定値を変更して画像を補正した時に、顕著となる。例えば、ユーザがある画像を閲覧しているとき、画像中の人の顔色や輪郭を補正し、その画像を別の機器に複写し、再度閲覧したとき、その画像は最初に施された補正を受けていないことがある。
【０００８】
このような課題を解決する従来技術として、例えば、特許文献１は、個々の映像ストリーム毎に映像プロファイル（画質設定）を適用する方法を提案している。具体的には、映像表示装置が、映像ストリームの種別（映画映像、ニュース映像など）に応じて、予め用意されている映像プロファイルを、当該映像ストリーム内に埋め込んで記憶する。映像表示装置は、映像ストリームを出力するとき、映像プロファイルと入出力特性データに基づいて画質調整を行う。
【特許文献１】特開２００５−１０２１８６号公報
【発明の開示】
【発明が解決しようとする課題】
【０００９】
しかしながら、特許文献１の方法は、ストリーム出力を行う装置（例えば、カメラ）が画質処理を実施するため、映像ストリームを別の機器（例えば、レコーダ）に移動した場合には、レコーダが同様の画質処理ができない限り、同一の見栄えで表示することはできない。すなわち、従来の映像表示装置では、画像を別の機器に移動して表示するとき、画像の見栄えが変わってしまうという課題があった。
【００１０】
本発明は上記事情に鑑みて成されたものであり、映像出力装置が保持する画像ファイルが、映像出力装置から映像信号として伝送され、当該映像信号を表示する映像表示装置で映像信号に対する画像処理補正を施した後、当該画像ファイルが別の映像出力装置に複写もしくは移動され、再度同一の映像表示装置に表示する場合であっても、以前に補正した画像処理を反映させ、以前と極力同じ見栄えや映り方で表示することを可能とする映像表示装置及び映像表示方法を提供することを目的とする。
【課題を解決するための手段】
【００１１】
本発明は、上記課題を解決するため、以下の手段を採用する。
画像ファイルを保持し、当該画像ファイルから生成したデジタル映像信号を出力可能な映像出力装置に接続され、デジタル映像信号を受信して、当該デジタル映像信号に基づく映像を表示部に表示する映像表示装置であって、デジタル映像信号の画質を調整する画像処理部と、画像処理部によって実施された画質調整の内容を示す画質設定情報と映像表示装置を識別するための機器情報とを生成し、画質を調整したデジタル映像信号に対応する画像ファイルに画質設定情報及び機器情報を関連づけるために、映像出力装置に送信する制御部と、を備えている。
【発明の効果】
【００１２】
本発明によれば、ユーザが映像信号として伝送されている画像に対して画像処理補正を施して表示を行った場合でも、当該画像処理の設定情報を映像信号を伝送している映像出力装置に送信し、画像ファイルに関連づけを行うことで、当該画像ファイルが他の映像出力装置へ移動し、再び表示するために送信された場合であっても、以前の画像処理の設定情報を取得することで、以前と極力同じ見栄えや映り方で表示することを可能とする。
【発明を実施するための最良の形態】
【００１３】
（第１の実施形態）
本発明に係る第１の実施形態について、図１から図１３を参照して説明する。
本実施形態に係る映像表示システムとしてのデジタルテレビシステム１は、図１に示すように、映像表示装置としてのデジタルテレビ１００と、映像出力装置としてのデジタルカメラ２００およびＪｐｅｇ画像を蓄積するための蓄積装置３００、を備えている。なお、本実施形態においては、デジタルテレビ１００の周囲の環境、具体的には明るさなどの環境光は、常時同じ状態であるものとする。
【００１４】
デジタルテレビ１００とデジタルカメラ２００とは、例えばＨＤＭＩで接続されている。ＨＤＭＩは、デジタルカメラ２００が画像ファイルに基づいて生成した映像データ（デジタル映像信号）をデジタルテレビ１００に出力可能であり、かつ制御情報の双方向の送受信が可能な伝送規格である。デジタルテレビ１００は、デジタルカメラ２００内でデコードされたＪｐｅｇ画像の映像データを受信し表示する。なお、本実施例は画像ファイルとして、Ｊｐｅｇで圧縮された写真などの静止画像を想定した説明を行うが、本発明は静止画像に限らず、動画像であっても良い。従って、画像との表現は静止画に限定されず、動画も含むものであることに留意されたい。
【００１５】
また、デジタルテレビ１００と蓄積装置３００とは、例えばＵＳＢのように、Ｊｐｅｇ画像のファイル転送が可能なケーブルで接続されている。これらのケーブルは、有線である必要はなく、無線であってもよい。また、蓄積装置３００は、デジタルテレビ１００の外部装置として記載してあるが、内蔵型として実装されていてもよい。
【００１６】
デジタルテレビ１００は、図２に示すように、テレビＩ／Ｆ部１０１、チューナ部１０２、テレビデコード部１０３、テレビ画像処理部（画像処理部）１０４、表示部１０５、テレビ制御部（制御部）１０６、テレビメモリ部１０７、音声処理部１０８、及びリモコン受信部１０９を備えている。
【００１７】
テレビＩ／Ｆ部１０１は、接続されているデジタルカメラ２００とのインターフェースである。本実施形態では、デジタルカメラ２００とＨＤＭＩで接続するためのインターフェースであり、ＤＤＣライン／ＴＤＭＳライン／ＣＥＣラインを介し、外部機器認証や複写制御、外部機器制御の為の制御情報の送受信、及び映像及び音声の受信を行う。
【００１８】
テレビＩ／Ｆ部１０１は、具体的には、デジタルテレビ１００の起動時や、デジタルカメラ２００との接続時に、機器認証や複写制御処理を行う。テレビＩ／Ｆ部１０１は、その後、デジタルカメラ２００内でデコードした画像の映像及び音声を、後述するテレビ画像処理部１０４及び音声処理部１０８へ送信する。また、テレビＩ／Ｆ部１０１は、デジタルカメラ２００に対して、後述するテレビ制御部１０６からの画像情報の読み出し、及び書き込みに関する制御信号の送受信を行う。
【００１９】
テレビＩ／Ｆ部１０１は、蓄積装置３００とのインターフェースでもあり、蓄積装置３００内への画像ファイルの書き出し及び読み込みを行う。テレビＩ／Ｆ部１０１は、読み込んだ画像ファイルをテレビデコード部１０３に送信したり、テレビメモリ部１０７に一時的に保存したりする。
【００２０】
チューナ部１０２は、後述するテレビ制御部１０６からの選局依頼に応じて、ＢＳ、ＣＳ、地上デジタル放送などの放送種別の切換えが必要かを判断し、それによって内蔵する受信チューナのうち適当なチューナを選択する。チューナ部１０２は、その後、選択したチューナからデジタル放送波を受信し、復調処理を施す。チューナ部１０２は、更に、復調後のデータから、映像や音声などを多重化したデータ（トランスポートストリームデータ）を再生成し、テレビデコード部１０３へ出力する。
【００２１】
テレビデコード部１０３は、チューナ部１０２から与えられたトランスポートストリームデータを、映像データ、音声データなどに分離し、それぞれデコードを行う。テレビデコード部１０３は、デコードした結果を、それが映像データの場合はテレビ画像処理部１０４へ出力する。テレビデコード部１０３は、デコードした結果を、それが音声の場合は音声処理部１０８へ出力する。また、テレビデコード部１０３は、後述するメモリ部１０７に格納された画像ファイルのデコードも行い、その結果を画像処理部１０４へ出力する。
【００２２】
テレビ画像処理部１０４は、複数の画質パラメータに基づいて表示画像に対する画像処理を行う。テレビ画像処理部１０４は、画質パラメータが変更されたときは、変更された画質パラメータを表示画像に反映する。画質パラメータは、テレビ内にプリセットされている。ここで、具体的な画質パラメータとは、コントラスト調整、色補正、輪郭補正、ノイズ除去、輝度補正、階調補正、エッジ強調、ホワイトバランス補正などである。テレビ制御部１０６が、入力された映像に対して、パラメータ毎にどのような設定値を適用するかを指定する。以下、画質パラメータを「画質設定情報」と称する。なお、最近のデジタルテレビには、映画やフォトなどの画像種別によって、その種別を表示するのに最適と考えられる画質パラメータの設定値の組み合わせを、画質モードと称して予め保持している場合がある。つまり、画質モードを変更することで、画像に適用される画質パラメータが変更される。このように、直接画質パラメータを変更するのではなく、プリセットされた画質モードを変更した結果、間接的に画質パラメータが変更されるような場合も、本発明の説明においては、画質パラメータ（又は画質設定情報）を変更するとして説明を行う。
【００２３】
表示部１０５は、テレビ画像処理部１０４によって処理された画像を表示する。表示部１０５は、外部のモニタであってもよい。
【００２４】
テレビ制御部１０６は、後述するリモコン受信部１０９から受信したリモコンコードに応じた制御を行う。すなわち、テレビ制御部１０６は、選局や入力切替など通常のテレビ制御を行うとともに、テレビＩ／Ｆ部１０１を介して接続される、表示画像の提供元であるデジタルカメラ２００に画質設定情報を送信する。これは、テレビ制御部１０６が適用した画像処理の画質設定情報を、後述する図３のカメラ制御部２０５が画像に関連づけて保持させるためである。
【００２５】
テレビメモリ部１０７は、主に画像ファイルを保存する。テレビメモリ部１０７は、ハードディスクのようなものであってもよいし、不揮発性もしくは揮発性のメモリであってもよい。テレビメモリ部１０７は、また、内蔵型でなく、ＵＳＢやＩＥＥＥ１３９４などによって接続される外付けのものであってもよい。
【００２６】
音声処理部１０８は、テレビデコード部１０３より出力された音声データに、音質、臨場感等の音声処理を施し、Ｄ／Ａ変換や増幅処理を経てデジタルテレビ１００に付随する図示しないスピーカに出力する。
【００２７】
リモコン受信部１０９、デジタルテレビ１００用のリモコンから出力されるリモコンコードを受信する。リモコン受信部１０９は、その後、受信したリモコンコードをテレビ制御部１０６へ転送する。
【００２８】
デジタルカメラ２００は、図３に示すように、カメラＩ／Ｆ部２０１、カメラ画像処理部２０２、カメラデコード部２０３、カメラメモリ部２０４、カメラ制御部（出力側制御部）２０５、撮像部２０６を備えている。
【００２９】
カメラＩ／Ｆ部２０１は、デジタルテレビ１００と接続されるためのインターフェースである。本実施形態では、カメラＩ／Ｆ部２０１を介して、デジタルカメラ２００内の画像ファイルがデコードされた映像データがデジタルテレビ１００へ転送される。また、後述するカメラ制御部２０５は、カメラＩ／Ｆ部２０１を介して、デジタルテレビ１００に対して制御信号を送受信する。
【００３０】
カメラ画像処理部２０２は、後述する撮像部２０６によって生成されたＲＡＷデータに対し、所定の画像処理を施し、Ｊｐｅｇファイルへ変換する。変換したＪｐｅｇファイルは、カメラメモリ部２０４に保存される。この所定の画像処理とは、例えば、色の明るさ調整、色の濃さの調整、各種ノイズの除去、赤目補正、ホワイトバランス補正などを含む。
【００３１】
カメラデコード部２０３は、後述するカメラ制御部２０５の指示に従い、カメラメモリ部２０４に保存された画像ファイルをデコードする。また、Ｊｐｅｇファイルの非圧縮領域にあるヘッダ内の情報の一部を読み出し、その結果をカメラ制御部２０５へ渡す。この情報とは、具体的には、Ｅｘｉｆ（Exchangeable Image File Format）で規定されている情報（以下、Ｅｘｉｆ情報と称する。）を示す。
【００３２】
カメラメモリ部２０４は、カメラ画像処理部２０２によって変換されたＪｐｅｇファイルやＲＡＷデータの保存を行う。カメラメモリ部２０４は、着脱可能なメモリカードであってもよい。
【００３３】
カメラ制御部２０５は、撮影時に画像ファイルを生成するために、撮像部２０６及びカメラ画像処理部２０２を制御する。カメラ制御部２０５は、また、デジタルテレビ１００と接続された際、デジタルテレビ１００の依頼に応じて、カメラメモリ部２０４、カメラデコード部２０３、カメラＩ／Ｆ部２０１を制御し、デコードした画像ファイルの映像データをデジタルテレビ１００へ出力する。カメラ制御部２０５は、また、画像ファイル内のＥｘｉｆ情報を読み出し、その情報をデジタルテレビ１００へ送信する。カメラ制御部２０５は、さらに、デジタルテレビ１００のテレビ制御部１０６から送信された画質設定情報を受信するとともに、出力中の画像データのＥｘｉｆ情報内に画質設定情報を記述することで、この画質設定情報を画像データと関連付ける。
【００３４】
撮像部２０６は、撮像素子やＡ/Ｄ変換器などを備え、レンズから入力された入力データからＲＡＷデータを生成する。
【００３５】
続いて、上述した本実施形態に係るデジタルテレビ１００における画質モードについて、図４を参照しながら説明する。
ダイナミックモードとは、日差しが差し込む部屋や、明るい店内での視聴を想定したモードである。スタンダードモードとは、通常のリビングの照明環境を想定したモードである。シネマモードとは、暗めの部屋で映画コンテンツを視聴する場合などを想定したモードである。
【００３６】
このほか、デジタルテレビ１００は、デジタルカメラ２００等の映像出力装置が接続された際に映像出力装置に応じて設定される初期画質モードを備えている。例えば、本実施形態のように、デジタルカメラ２００が接続される場合のフォトモードは、デジタルカメラ２００からの映像や、蓄積装置３００内の画像ファイルを視聴する場合を想定したモードである。
デジタルテレビ１００がＰＣ入力端子（ＤＶＩ端子、Ｄ−Ｓｕｂ端子及びＨＤＭＩ端子）を有する場合には、デジタルテレビ１００は、文字表示に適したパソコンモードを有する。デジタルテレビ１００がゲーム端子（ＨＤＭＩ端子やビデオ端子）を有する場合には、デジタルテレビ１００はゲーム表示に適したゲームモードを有する。デジタルテレビ１００は、モードを番組や画像コンテンツ毎に変更する場合もあるが、通常は照明などの室内環境や接続される外部機器に合わせて適宜変更する。
【００３７】
デジタルテレビ１００の画質モードがもつ画質パラメータの一例を図５に示す。画質パラメータの種別は、全画質モード共通とされ、コントラスト調整、輝度調整、ノイズ除去、色補正、エッジ強調などが含まれる。但し、これらのパラメータは、各画質モードで共通である必要はなく、一部の画質モードのみのパラメータがあってもよい。
【００３８】
画質パラメータの値は、画質モード毎に予め設定されている。図６は、画質モード毎の画質パラメータの設定値の一例を示す。コントラスト、輝度補正、色補正は、０〜５の調整幅で設定されている。ノイズ除去およびエッジ強調は、オンオフの設定値で設定されている。ユーザは、画質パラメータを再設定することができる。
【００３９】
画質モードは、デジタルテレビ１００が有するＩ／Ｆ毎、あるいは内部の状態毎に、個別に設定されている。図７は、デジタルテレビ１００が持つＩ／Ｆ入力種別と画質モードとの関係の一例を示す。デジタルテレビ１００が通常の放送を入力している場合、画質モードはスタンダードに設定される。
【００４０】
ユーザが入力を切り換える操作に応じて、デジタルテレビ１００は、モードを変更する。ユーザが入力をＨＤＭＩ入力に設定したときは、デジタルテレビ１００は、画質モードをシネマに設定する。ユーザが入力をＵＳＢに設定したときは、デジタルテレビ１００は、画質モードをフォトに設定する。ユーザが入力をＤ端子やＳ端子などのビデオ入力に設定したときは、デジタルテレビ１００は画質モードをシネマに設定する。ユーザが入力をメモリカード入力に設定したときは、デジタルテレビ１００は画質モードをフォトに設定する。ユーザが入力をＬＡＮ入力に設定したときは、デジタルテレビ１００は画質モードをスタンダードに設定する。ユーザは、また、これらのI／Ｆ毎の画質モードを変更することもできる。
【００４１】
図８は、デジタルテレビ１００が持つ内部状態種別と画質モードとの関係の一例を示す。デジタルテレビ１００が通常の放送を表示している場合、デジタルテレビ１００は画質モードをスタンダードに設定する。デジタルテレビ１００がそれ自体にインストールされた写真ビューワアプリケーションを起動しているときは、デジタルテレビ１００は画質モードをフォトに設定する。デジタルテレビ１００がインターネットブラウザを起動しているときは、デジタルテレビ１００は画質モードをスタンダードに設定する。ユーザは、これらの状態種別毎の画質モードを適宜切り換えることができる。デジタルテレビ１００は、また、画質モードを入力種別及び状態種別の組み合わせとして保持することができる。以下の説明では、入力種別をベースに説明を行う。
【００４２】
図９を参照して、デジタルテレビ１００における通常の画質設定情報を設定する方法の一例について説明する。
テレビ制御部１０６は、リモコン受信部１０９経由でユーザからのリモコン操作を受信する（Ｓ４０１）。テレビ制御部１０６は、ユーザの操作が入力を切り換える操作であるかどうかを判断する（Ｓ４０２）。
Ｓ４０２にて、テレビ制御部１０６が入力を切り換える操作であると判断すると、テレビ制御部１０６は、指定された入力先に入力を切り換える（Ｓ４０３）。そして、テレビ制御部１０６は、切換先に応じた画質モード及びそれに付随する画質パラメータをテレビメモリ部１０７から読み込み、テレビ画像処理部１０４へ送信する（Ｓ４０４）。ここで、Ｓ４０３にて、ユーザがＨＤＭＩ端子へ切り換えたとき、図７に示す例では、テレビ画像処理部１０４は画質モードをシネマモードに設定する。
【００４３】
次に、図１０を参照して、デジタルテレビ１００にデジタルカメラ２００が接続されたデジタルテレビシステム１における画質設定情報を設定するステップについて、説明する。
【００４４】
まずは、デジタルテレビ１００側にて、テレビ制御部１０６が、リモコン受信部１０９経由でユーザからのリモコン操作信号を受信する（Ｓ５０１）。テレビ制御部１０６は、ユーザの操作が入力を切り換える操作であるかどうかを判断する（Ｓ５０２）。Ｓ５０２にて、テレビ制御部１０６が入力を切り換える操作であると判断すると、テレビ制御部１０６は入力を切り換える（Ｓ５０３）。テレビ制御部１０６は、その後、接続先であるデジタルカメラ２００から機器情報を取得するとともに、出力中の画像に対応した画質モード、及びそれに付随する画質パラメータがあるかどうかを確認する（Ｓ５０４）。
【００４５】
ここで機器情報とは、デジタルカメラのメーカー名、機種名、機種コードなどをいう。画質モードとは、図４に示した各モード名を示す。また画質パラメータとは、図５に示したパラメータの具体的な設定値を示す。
【００４６】
出力中の画像に対応した画質モードまたは画質パラメータが存在する場合、テレビ制御部１０６はデジタルカメラ２００からこれらの情報を画質設定情報として取得する（Ｓ５０５）。その後、テレビ制御部１０６は、取得した画質設定情報をテレビ画像処理部１０４へ送信する（Ｓ５０６）。デジタルテレビ１００はデジタルカメラ２００にＨＤＭＩケーブルで接続されているため、デジタルテレビ１００は、通常、画質モードをシネマモードに設定している。しかし、Ｓ５０４にて、テレビ制御部１０６はデジタルカメラ２００から出力中の画像に対応した画質モードを取得している。そのため、テレビ制御部１０６は、取得した画質モードを優先して適用する。
【００４７】
Ｓ５０４にて、出力中の画像に対応した画質モード及び画質パラメータが存在しない場合、テレビ制御部１０６は、事前に取得した機器情報から接続機器がデジタルカメラ２００と認識し、画質モードをデジタルカメラ２００に適したモード、例えば、フォトモードに設定する。
【００４８】
なお、Ｓ５０１では、ユーザによるリモコン操作信号を受信して、画質モードを変更したが、本発明はこれに限定されない。例えば、テレビ制御部１０６がユーザによるＨＤＭＩケーブルを挿入する操作やデジタルカメラ２００の写真を再生する操作を検知し、それをトリガにＳ５０２以降の操作を行っても良い。また、Ｓ５０４のデジタルカメラ２００の機器情報は、入力を切り換えるタイミングで取得する必要はない。これらの情報は、例えばデジタルテレビ１００の起動時や、デジタルカメラ２００が接続されたタイミングで取得してもよい。
【００４９】
次に、デジタルカメラ２００側にて、カメラ制御部２０５が、カメラデコード部２０３、及びカメラＩ／Ｆ部２０１を制御し、カメラメモリ部２０４内の画像ファイルの一つをデコードし、デジタルテレビ１００へ出力する（Ｓ５０７）。
【００５０】
その後、カメラ制御部２０５は、出力した画像のＥｘｉｆ領域と特定エリアとにアクセスし、出力先であるデジタルテレビ１００の画質モード及び画質パラメータが保存されているかどうかを確認する（Ｓ５０８）。ここで、上述したＳ５０４にて、デジタルカメラ２００は、デジタルテレビ１００から画質設定情報の送信依頼を受け取る。
【００５１】
出力先であるデジタルテレビ１００の画質設定情報がある場合は、カメラ制御部２０５は、これらの情報と、デジタルカメラ２００の機器情報と、をデジタルテレビ１００へ送信する（Ｓ５０９）。前記情報がない場合は、デジタルカメラ２００の機器情報のみを送付する（Ｓ５０９）。
【００５２】
図１１を参照して、テレビ制御部１０６が、デジタルカメラ２００からの映像を表示している状態において、ユーザがリモコンを使って画質設定情報を変更したときの映像表示方法について説明する。
【００５３】
まず、テレビ制御部１０６は、ユーザからのリモコン操作信号を、リモコン受信部１０９経由で受信する（Ｓ６０１）。テレビ制御部１０６は、ユーザの操作が画質設定情報を切り換える操作かどうかを判断する（Ｓ６０２）。画質設定情報を切り換える操作でない場合には、処理が終了する。
【００５４】
ユーザの操作が画質設定情報を切り換える操作の場合には、テレビ制御部１０６が、モード内の画質パラメータの調整画面を表示する（Ｓ６０３）。図１２は、画質パラメータの調整画面の表示の一例を示す。
【００５５】
調整画面は、ユーザが変更可能な複数の画質パラメータの組み合わせからなる画質モード毎に設定可能な画質パラメータと、その設定値と、を表示する。この画面表示中、ユーザが選択又は画質パラメータの変更を行って設定値を変更すると、テレビ画像処理部１０４は、その画質モードの情報を受信して表示画像に反映する（Ｓ６０４）。
【００５６】
一連の画質パラメータの変更処理が終了したとき、テレビ制御部１０６は、デジタルテレビ１００を識別するための機器情報と、前ステップまでに設定した画質パラメータに基づく画質設定情報をデジタルカメラ２００へ送信する（Ｓ６０５）。また、テレビ制御部１０６は、画質設定情報及び機器情報を画像ファイルへ関連づけるよう指示するためのコマンドを発行する。ここで、機器情報とは、デジタルテレビ１００のメーカー名、機種名、機器コードなどを含む。
【００５７】
テレビ制御部１０６は、ＨＤＭＩのＣＥＣコマンドを利用してこれらの情報をデジタルカメラ２００へ送信する。画質設定情報の送信用コマンドは、予めデジタルテレビ１００及びデジタルカメラ２００の間で取り決められているものとする。送信終了後、処理を終了する。
【００５８】
なお、Ｓ６０５では、テレビ制御部１０６は、上述した情報以外に、デジタルカメラ２００から出力されるＨＤＭＩ信号レベル情報等の映像出力条件（階調レンジ情報、Full
Range、Limit Range等）も合わせて送信する。
【００５９】
デジタルカメラ２００においては、カメラ制御部２０５が、カメラデコード部２０３及びカメラＩ／Ｆ部２０１を制御し、カメラメモリ部２０４内の画像ファイルの一つをデコードして、デジタルテレビ１００へＨＤＭＩを介して映像信号として出力する（Ｓ６０６）。この出力された映像信号に対して、デジタルテレビ１００が画質調整を行っていることになる。
【００６０】
Ｓ６０５にて、デジタルテレビ１００が画質設定情報を含むＣＥＣコマンドを送信すると、カメラ制御部２０５は、ＣＥＣコマンドとしての画質設定情報を受信することになる（Ｓ６０７）。
【００６１】
続いて、カメラ制御部２０５は、表示画像の画像データに画質設定情報及び機器情報を関連付ける（Ｓ６０８）。すなわち、カメラ制御部２０５は、出力中の画像ファイルのＥｘｉｆ領域内に、出力先の機器情報と共に、前記画質設定情報を記述する。なお、Ｓ６０８では、カメラ制御部２０５は、受信した前記画質設定情報をカメラメモリ部２０４に一時的に保存する。そして、この一連のフローが終了することになる。
【００６２】
なお、Ｓ６０８の処理は、その後表示される画像ファイル全てに適用するか、またはその時に表示されている画像ファイルのみに適用するかを、ユーザが選択することができるようにしても良い。
【００６３】
後者の場合、デジタルカメラ２００は、出力する画像を切り替えるたびに、デジタルテレビ１００に対して画像を切り替えた旨を通知する。デジタルテレビ１００は、その通知を受信するたびに、画質モード及び画質パラメータを、入力種別毎に予め設定されている画質モード及びパラメータに戻す。
【００６４】
なお、上記処理では、デジタルカメラ２００から出力される画像を一つに限定して説明したが、これに限らず複数画像を同時に出力しても良い。この場合、デジタルテレビ１００から送信する画質設定情報は、出力中の画像ファイルのＥｘｉｆ領域に追加される。
【００６５】
次に、図１３を参照して、デジタルカメラ２００のカメラメモリ部２０４内にある画像ファイルを、蓄積装置３００へ複写し、その画像を再度デジタルテレビ１００で表示する際の処理フローについて、説明する。
【００６６】
ここで、以下の説明において、画像には図１１に示す処理によって既にＥｘｉｆ領域にデジタルテレビ１００から送信された画質設定情報が記述されている。また、デジタルテレビ１００と蓄積装置３００とは、ＵＳＢケーブルなどの画像のファイル転送が可能な手段によって接続されている。
【００６７】
ユーザが入力を切り換えて、蓄積装置３００が接続されている入力種別が選択されると、テレビ制御部１０６は、テレビＩ／Ｆ部１０１を介して外部蓄積装置３００から表示すべき画像ファイルを読み込む（Ｓ７０１）。テレビ制御部１０６は、その後、画像ファイルをテレビデコード部１０３に渡し、テレビデコード部１０３はデコード処理を実行する（Ｓ７０２）。テレビ制御部１０６は、画像ファイルのＥｘｉｆ領域にアクセスし（Ｓ７０３）、デジタルテレビ１００に関する画質設定情報が保存されているかどうかを確認する（Ｓ７０４）。
【００６８】
Ｓ７０４にて、デジタルテレビ１００に関する画質設定情報が存在しない場合には、テレビ制御部１０６は、事前に設定されている画質モードをテレビ画像処理部１０４へ送信する。Ｓ７０４にて、画質設定情報が存在する場合には、テレビ制御部１０６は、その画質設定情報をテレビ画像処理部１０４へ送信する。
テレビ画像処理部１０４は、画質設定情報を取得すると、画質設定情報に従って画質モードや画質パラメータを変更し、画像処理を行う（Ｓ７０５）。この一連の処理は、表示される画像ファイルが切り替えられるたびに行われる。なお、画像ファイルに関連づけられている機器情報が、自身の機器情報と合致しない場合は画質設定情報が取得できたとしても、この画質設定情報に基づく画質調整は実行しない。画質の調整を行うのは、画像ファイルに関連づけられた機器情報が、自身の機器情報と合致した場合である。このフローチャートは機器情報が合致した場合を示すものである。
【００６９】
以上より、第１の実施形態であるデジタルテレビ１００によれば、デジタルカメラ２００が画像ファイルをデコードして伝送された映像信号を表示するにあたって、ユーザが表示映像に対する画質設定を調整した場合であっても、その画質設定情報を画像ファイルを保持するデジタルカメラ２００に送信する。そして、デジタルカメラ２００は送信された画質設定情報を画像ファイルに関連づけて記憶させる。これにより、この画像ファイルを他の装置に複写や移動をし、他の装置からデジタルテレビ１００に映像信号として伝送、または画像ファイルとして送信され、表示する場合も、前に調整した画質設定情報を利用して、その画像を以前と極力同じ見栄えや映り方で表示することが可能となる。
【００７０】
（第２の実施形態）
次に、第２の実施形態について図１４及び図１５を参照しながら説明する。
なお、上述した他の実施形態と同様の構成要素には同一符号を付すとともに説明を省略する。
図１４に示すように、第２の実施形態と第１の実施形態との異なる点は、本実施形態に係るデジタルテレビシステム３におけるデジタルテレビ１００が、環境光、例えば室内の照度を検出する照度検出部としての照度センサー１５０を一つ以上備えているとした点である。なお、第１の実施形態と同一の構成要素には同一の符号を付して、その詳細な説明を省略する。
【００７１】
図１５に示すＳ９０１〜Ｓ９０３及びＳ９０６〜Ｓ９０９の各ステップは、図１１に示すＳ６０１〜Ｓ６０３及びＳ６０５〜Ｓ６０８の各ステップにそれぞれ対応する。これらのステップについては、ここでは詳細な説明を省略する。
【００７２】
Ｓ９０３にて、テレビ制御部１０６は、画質調整画面を表示する。そしてユーザによるリモコンを用いた操作に基づき、テレビ画像処理部１０４は、その変更内容を映像データに対する画像処理に反映させる。
【００７３】
Ｓ９０４では、テレビ制御部１０６は、画質調整を行った際の照度センサーの照度検出値を取得する。
【００７４】
Ｓ９０５では、テレビ制御部１０６はＳ６０４と同様に、画質調整が完了したか否かを判定する。画質調整が完了した場合には、ステップＳ９０６へ移行する。
【００７５】
ステップＳ９０６では、ステップＳ９０３で行った画質調整における画質モードや画質パラメータの値に基づく画質設定情報と、ステップＳ９０４で取得した照度検出値と、機器情報とをデジタルカメラ２００に送信する。また、テレビ制御部１０６は、画質設定情報及び機器情報、さらに照度検出値を画像ファイルへ関連づけるよう指示するためのコマンドを発行する。第１の実施形態と同様、テレビ制御部１０６は、ＨＤＭＩのＣＥＣコマンドを利用してこれらの情報をデジタルカメラ２００へ送信する。画質モード及び画質パラメータの送信用コマンドは、予めデジタルテレビ１００及びデジタルカメラ２００の間で取り決められているものとする。
【００７６】
なお、本実施形態では、ステップＳ９０９において、画質設定情報、機器情報に加え、送信された照度検出値を画像ファイルと関連づけて記憶させる。
【００７７】
次に、図１６を参照して、デジタルカメラ２００のカメラメモリ部２０４内にある画像ファイルを、蓄積装置３００へ複写し、その画像を再度デジタルテレビ１００で表示する際の処理フローについて説明する。
【００７８】
図１６に示すＳ１００１〜Ｓ１００３の各ステップは、図１３に示すＳ７０１〜Ｓ７０３の各ステップにそれぞれ対応する。これらのステップについては、ここでは詳細な説明を省略する。以下では、Ｓ１００４〜Ｓ１００９の各ステップについて説明する。
【００７９】
テレビ制御部１０６は、照度センサー１５０によって現在検出される照度検出値を取得する（Ｓ１００４）。続いて、テレビ制御部１０６は画像ファイルのＥｘｉｆ領域から画質設定情報と機器情報があるか否かを判定する（Ｓ１００５）。画質設定情報が存在していない、もしくは、画質設定情報が存在しているが画像ファイルに関連づけられた機器情報が自身の機器情報と合致しなければ、ステップＳ１００９に移行する。ステップＳ１００９では、現在の照度検出値に対応する画質モードや画質パラメータを自動的に設定し、画質調整を行う。機器情報が自身の機器情報と合致し、かつ画質設定情報が存在していれば、ステップＳ１００６へ移行する。
【００８０】
その後、テレビ制御部１０６は、ステップＳ１００３で取得した画質設定情報に含まれた照度検出値と、ステップＳ１００４で取得した照度センサー１５０による照度検出値とを比較し、これらの照度検出値の差分値が所定の範囲内、例えば、―２０から＋２０の範囲内に属するか否かを判断する（Ｓ１００６）。比較の結果、画質設定情報に含まれた照度検出値と現在の照度検出値との差分が所定の範囲内のときには、テレビ制御部１０６は、受信した画質設定情報が設定された環境と、現在の環境とが類似していると見なし、テレビ画像処理部１０４に対して、受信した画質設定情報を用いて画像処理を行うよう指示する。その指示を受けて、テレビ画像処理部１０４はＥｘｉｆ情報に記述されていた画質設定情報に基づいて、画質モードや画質パラメータの設定を行い、画像に対して画質調整を行う（Ｓ１００７）。
【００８１】
Ｓ１００６での比較の結果、画質設定情報に含まれた照度検出値と現在の照度検出値との差分が所定の範囲外のときには、テレビ制御部１０６は、受信した画質設定情報が設定された環境と、現在の環境とが類似していないと見なす。つまり、受信した画質設定情報を用いて画像調整を行っても、以前と同様の見栄えにはならない可能性が高い。そこで、テレビ制御部１０６はテレビ画像処理部１０４に対して、取得した画質設定情報を用いて照度検出値の相違を反映させた画質パラメータを生成し、生成した画質パラメータを用いて画像に対して画質調整を行うよう指示する。具体的には、現在の照度においても、以前の画質設定結果と極力同じ見栄えとなるような画質パラメータを生成する。これは、各画質パラメータごとに、照度と画質との関係を保持した情報、例えば変換値や変換用関数などを保持しておき、この情報に基づいて画質パラメータを生成することで実現可能である。このようにしてテレビ画像処理部１０４が生成した画質パラメータを用いて、画像に対して画質調整を行う（ステップＳ１００８）。
【００８２】
以上、第２の実施形態によれば、画質設定が行われた時の環境光の条件と、現在の環境光の条件とを比較し、その結果によって取得した画質設定情報を適用するか、取得した画質設定情報を用いて以前と極力同じ見栄えとなる画質パラメータを生成して適用するかを選択するため、以前と極力同じ見栄えや映り方で画像を表示することが可能となる。
【００８３】
なお、本発明の技術範囲は上記実施の形態に限定されるものではなく、本発明の趣旨を逸脱しない範囲において種々の変更を加えることが可能である。
【００８４】
また、上述した第１の実施形態及び第２の実施形態では、画質設定情報を関連づけられた画像ファイルを再度表示する場合、デジタルテレビ１００が当該画像ファイルを取得するとして記載したが、本発明は画像ファイルを取得する場合に限らない。つまり、画質設定情報を関連づけられた画像ファイルが、他の装置によってデジタル映像信号として伝送される場合であっても、関連づけられた画質設定情報と機器情報、また、照度検出値を取得することで、画像ファイルそのものを受信した場合と同様の画質調整が可能となる。
【図面の簡単な説明】
【００８５】
【図１】本発明の第１の実施形態に係るデジタルテレビシステムを示すシステム構成図である。
【図２】本発明の第１の実施形態に係るデジタルテレビを示す構成図である。
【図３】本発明の第１の実施形態に係るデジタルテレビに接続されるデジタルカメラを示す構成図である。
【図４】本発明の第１の実施形態に係るデジタルテレビが有する画質モードを示すリストである。
【図５】本発明の第１の実施形態に係るデジタルテレビが有する画質モードの画質パラメータを示すリストである。
【図６】本発明の第１の実施形態に係るデジタルテレビが有する画質モード及び画質パラメータの設定例を示すリストである。
【図７】本発明の第１の実施形態に係るデジタルテレビが有する入力種別毎の画質モードの設定例を示すリストである。
【図８】本発明の第１の実施形態に係るデジタルテレビが有する内部状態種別毎の画質モードの設定例を示すリストである。
【図９】本発明の第１の実施形態に係るデジタルテレビにおける通常の画質設定情報を設定する方法を示すフロー図である。
【図１０】本発明の第１の実施形態に係るデジタルテレビにデジタルカメラを接続したときの画質設定情報を設定する方法を示すフロー図である。
【図１１】本発明の第１の実施形態に係るデジタルテレビにデジタルカメラを接続したときの画質設定情報を変更する方法を示すフロー図である。
【図１２】本発明の第１の実施形態に係るデジタルテレビにおける画質パラメータの調整画面の一例を示す図である。
【図１３】本発明の第１の実施形態に係るデジタルテレビと接続された蓄積装置内の画像ファイルを表示する方法を示すフロー図である。
【図１４】本発明の第２の実施形態に係るデジタルテレビを示す構成図である。
【図１５】本発明の第２の実施形態に係るデジタルテレビにおける画質設定情報を変更する方法を示すフロー図である。
【図１６】本発明の第２の実施形態に係るデジタルテレビと接続された蓄積装置内の画像ファイルを表示する方法を示すフロー図である。
【符号の説明】
【００８６】
１，３  デジタルテレビシステム（映像表示システム）
１００  デジタルテレビ（映像表示装置）
１０１  テレビＩ／Ｆ部
１０２  チューナー部
１０３  テレビデコード部
１０４  テレビ画像処理部（画像処理部）
１０５  表示部
１０６  テレビ制御部（制御部）
１０７  テレビメモリ部
１０８  音声処理部
１５０  照度センサー
２００  デジタルカメラ（映像出力装置）
２０１  カメラＩ／Ｆ部
２０２  カメラ画像処理部
２０３  カメラデコード部
２０４  カメラメモリ部
２０５  カメラ制御部
２０６  撮像部
３００  蓄積装置（映像出力装置）
【図１】
2010032920.tif 000003
【図２】
2010032920.tif 000004
【図３】
2010032920.tif 000005
【図４】
2010032920.tif 000006
【図５】
2010032920.tif 000007
【図６】
2010032920.tif 000008
【図７】
2010032920.tif 000009
【図８】
2010032920.tif 000010
【図９】
2010032920.tif 000011
【図１０】
2010032920.tif 000012
【図１１】
2010032920.tif 000013
【図１２】
2010032920.tif 000014
【図１３】
2010032920.tif 000015
【図１４】
2010032920.tif 000016
【図１５】
2010032920.tif 000017
【図１６】
2010032920.tif 000018